(57)【要約】  【課題】冷却と加温とが同時に可能なヒートポンプ装置31を提供する。  【解決手段】圧縮機36、凝縮器38、キャピラリチューブ48，49，50、熱交換器32，33，34、圧縮機36を接続し、冷凍サイクル35を構成する。凝縮器38とキャピラリチューブ48，49，50側との間にバイパス路切換弁57を設け、バイパス路切換弁57から加温用の熱交換器34にバイパス路56を接続する。加温用の熱交換器34の出口側に戻り路切換弁59を設け、戻り路切換弁59からバイパス路切換弁57とキャピラリチューブ48，49，50側との間に戻り路58を接続する。バイパス路切換弁57をバイパス路56側に切り換えるときは、加温用の熱交換器34のキャピラリチューブ50への流路を遮断する開閉弁47を設ける。圧縮機36、凝縮器38、バイパス路56、加温用の熱交換器34、戻り路58、キャピラリチューブ48，49、冷却用の熱交換器32，33を接続した冷凍サイクル35により、冷却と加温とが同時に可能とする。  【選択図】図１
2006284056.tif 000002
【特許請求の範囲】
【請求項１】
冷媒を圧縮する圧縮機と、
この圧縮機の冷媒の出口側に接続された凝縮器と、
この凝縮器の出口側に接続された少なくとも１つの加温用の熱交換器と、
この加温用の熱交換器の出口側に減圧手段を介して接続され、出口側が前記圧縮機の入口側に接続された少なくとも１つの冷却用の熱交換器と
を具備していることを特徴とするヒートポンプ装置。
【請求項２】
冷媒を圧縮する圧縮機と、
この圧縮機の冷媒の出口側に接続された少なくとも１つの加温用の熱交換器と、
この加温用の熱交換器の出口側に接続された凝縮器と、
この凝縮器の出口側に減圧手段を介して接続され、出口側が前記圧縮機の入口側に接続された少なくとも１つの冷却用の熱交換器と
を具備していることを特徴とするヒートポンプ装置。
【請求項３】
冷媒を圧縮する圧縮機と、
この圧縮機の冷媒の出口側に接続された凝縮器と、
この凝縮器の出口側にそれぞれ減圧手段を介して並列に接続され、出口側が前記圧縮機の入口側に接続された複数の熱交換器と、
前記凝縮器と減圧手段との間から少なくとも１つの熱交換器の入口側に接続されたバイパス路と、
前記凝縮器から吐出する冷媒の流路を減圧手段側とバイパス路側とに切り換えるバイパス路切換弁と、
前記バイパス路が接続された熱交換器の出口側から前記バイパス路切換弁と減圧手段との間に接続された戻り路と、
前記バイパス路が接続された熱交換器から吐出する冷媒の流路を圧縮機側と戻り路側とに切り換える戻り路切換弁と、
前記バイパス路が接続された熱交換器の減圧手段の入口側に設けられ、前記バイパス路切換弁をバイパス路側に切り換えるときにはこの減圧手段への流路を遮断する開閉弁と
を具備していることを特徴とするヒートポンプ装置。
【請求項４】
冷媒を圧縮する圧縮機と、
この圧縮機の冷媒の出口側に接続された凝縮器と、
この凝縮器の出口側にそれぞれ減圧手段を介して並列に接続され、出口側が前記圧縮機の入口側に接続された複数の熱交換器と、
前記圧縮機と凝縮器との間から少なくとも１つの熱交換器の入口側に接続されたバイパス路と、
前記圧縮機から吐出する冷媒の流路を凝縮器側とバイパス路側とに切り換えるバイパス路切換弁と、
前記バイパス路が接続された熱交換器の出口側から前記バイパス路切換弁と凝縮器との間に接続された戻り路と、
前記バイパス路が接続された熱交換器から吐出する冷媒の流路を圧縮機側と戻り路側とに切り換える戻り路切換弁と、
前記バイパス路が接続された熱交換器の減圧手段の入口側に設けられ、前記バイパス路切換弁をバイパス路側に切り換えるときにはこの減圧手段への流路を遮断する開閉弁と
を具備していることを特徴とするヒートポンプ装置。
【請求項５】
複数の収納室を有する販売機本体と、
この販売機本体の各収納室に各熱交換器が配設された請求項１ないし４いずれか記載のヒートポンプ装置と
を具備していることを特徴とする自動販売機。
【発明の詳細な説明】
【技術分野】
【０００１】
本発明は、冷却と加温とが同時に可能なヒートポンプ装置、およびこのヒートポンプ装置を用いた自動販売機に関する。
【背景技術】
【０００２】
従来、例えば飲料入りの缶やペットボトルなどの商品を販売する自動販売機では、販売機本体内を複数の収納室に仕切り、各収納室に商品を収納するコラムをそれぞれ設けており、各収納室毎に冷却モードまたは加温モードに設定し、冷たい商品または温かい商品を提供している。
【０００３】
収納室を冷却する冷却装置としてヒートポンプ装置が用いられ、このヒートポンプ装置では、圧縮機、凝縮器および各収納室にそれぞれ配置される複数の冷却器を順に接続して冷媒が流れる冷凍サイクルを構成しており、凝縮器と圧縮機との間には複数の並列配管を設け、これら並列配管毎にキャピラリチューブ、開閉弁および各冷却器を設けている。そして、各収納室の温度に応じて圧縮機を運転または停止させ、圧縮機の運転時には、圧縮機で圧縮して吐出された冷媒が凝縮器で液化し、液化した冷媒が各並列配管に並列に分流して各並列配管の開閉弁およびキャピラリチューブを通じて各収納室の冷却器に供給され、各冷却器で熱を吸収した冷媒が気化して圧縮機の吸入側に戻る冷凍サイクルにより、各収納室を冷却している。
【０００４】
また、収納室を加温するには収納室に配置されるヒータが用いられ、このヒータに通電して収納室内を加温している。このとき、加温する収納室の開閉弁を閉じて冷却器による冷却を停止している（例えば、特許文献１参照。）。
【特許文献１】特開２００４−１６２９８６号公報（第３−５頁、図１−２）
【発明の開示】
【発明が解決しようとする課題】
【０００５】
しかしながら、収納室を加温するのにヒータを用いているため、消費電力量が大きい問題がある。
【０００６】
また、加温にもヒートポンプ装置を用いて冷却時とは逆サイクルで運転することにより、加温運転での消費電力量を低減することが考えられるが、冷たい商品と温かい商品とを併売する自動販売機ではこの自動販売機内に冷却用のヒートポンプ装置と加温用のヒートポンプ装置との両方を独立して設置する必要があり、大形化、複雑化する問題がある。
【０００７】
本発明は、このような点に鑑みなされたもので、冷却と加温とが同時に可能なヒートポンプ装置、およびこのヒートポンプ装置を用いた自動販売機を提供することを目的とする。
【課題を解決するための手段】
【０００８】
請求項１記載のヒートポンプ装置は、冷媒を圧縮する圧縮機と、この圧縮機の冷媒の出口側に接続された凝縮器と、この凝縮器の出口側に接続された少なくとも１つの加温用の熱交換器と、この加温用の熱交換器の出口側に減圧手段を介して接続され、出口側が前記圧縮機の入口側に接続された少なくとも１つの冷却用の熱交換器とを具備しているものである。
【０００９】
請求項２記載のヒートポンプ装置は、冷媒を圧縮する圧縮機と、この圧縮機の冷媒の出口側に接続された少なくとも１つの加温用の熱交換器と、この加温用の熱交換器の出口側に接続された凝縮器と、この凝縮器の出口側に減圧手段を介して接続され、出口側が前記圧縮機の入口側に接続された少なくとも１つの冷却用の熱交換器とを具備しているものである。
【００１０】
請求項３記載のヒートポンプ装置は、冷媒を圧縮する圧縮機と、この圧縮機の冷媒の出口側に接続された凝縮器と、この凝縮器の出口側にそれぞれ減圧手段を介して並列に接続され、出口側が前記圧縮機の入口側に接続された複数の熱交換器と、前記凝縮器と減圧手段との間から少なくとも１つの熱交換器の入口側に接続されたバイパス路と、前記凝縮器から吐出する冷媒の流路を減圧手段側とバイパス路側とに切り換えるバイパス路切換弁と、前記バイパス路が接続された熱交換器の出口側から前記バイパス路切換弁と減圧手段との間に接続された戻り路と、前記バイパス路が接続された熱交換器から吐出する冷媒の流路を圧縮機側と戻り路側とに切り換える戻り路切換弁と、前記バイパス路が接続された熱交換器の減圧手段の入口側に設けられ、前記バイパス路切換弁をバイパス路側に切り換えるときにはこの減圧手段への流路を遮断する開閉弁とを具備しているものである。
【００１１】
請求項４記載のヒートポンプ装置は、冷媒を圧縮する圧縮機と、この圧縮機の冷媒の出口側に接続された凝縮器と、この凝縮器の出口側にそれぞれ減圧手段を介して並列に接続され、出口側が前記圧縮機の入口側に接続された複数の熱交換器と、前記圧縮機と凝縮器との間から少なくとも１つの熱交換器の入口側に接続されたバイパス路と、前記圧縮機から吐出する冷媒の流路を凝縮器側とバイパス路側とに切り換えるバイパス路切換弁と、前記バイパス路が接続された熱交換器の出口側から前記バイパス路切換弁と凝縮器との間に接続された戻り路と、前記バイパス路が接続された熱交換器から吐出する冷媒の流路を圧縮機側と戻り路側とに切り換える戻り路切換弁と、前記バイパス路が接続された熱交換器の減圧手段の入口側に設けられ、前記バイパス路切換弁をバイパス路側に切り換えるときにはこの減圧手段への流路を遮断する開閉弁とを具備しているものである。
【００１２】
請求項５記載の自動販売機は、複数の収納室を有する販売機本体と、この販売機本体の各収納室に各熱交換器が配設された請求項１ないし４いずれか記載のヒートポンプ装置とを具備しているものである。
【発明の効果】
【００１３】
請求項１記載のヒートポンプ装置によれば、圧縮機、凝縮器、少なくとも１つの加温用の熱交換器、少なくとも１つの減圧手段および冷却用の熱交換器を順に接続して冷凍サイクルを構成することにより、１つの冷凍サイクルで冷却と加温とが同時に可能となり、大形化、複雑化することなく、電力消費量を低減できる。
【００１４】
請求項２記載のヒートポンプ装置によれば、圧縮機、少なくとも１つの加温用の熱交換器、凝縮器、少なくとも１つの減圧手段および冷却用の熱交換器を順に接続して冷凍サイクルを構成することにより、１つの冷凍サイクルで冷却と加温とが同時に可能となり、大形化、複雑化することなく、電力消費量を低減できる。しかも、圧縮機で圧縮された冷媒は凝縮器を通さずに高い温度のまま加温用の熱交換器に直接送るので、加温用の熱交換器での熱交換効率を高めることができる。
【００１５】
請求項３記載のヒートポンプ装置によれば、圧縮機、凝縮器、バイパス路、少なくとも１つの熱交換器、戻り路、減圧手段および熱交換器を順に接続して冷凍サイクルを構成することにより、１つの冷凍サイクルで冷却と加温とが同時に可能となり、大形化、複雑化することなく、電力消費量を低減できる。さらに、バイパス路切換弁、戻り路切換弁、開閉弁の切り換えによって、バイパス路が接続された熱交換器の冷却と加温とを任意に切り換えることができる。
【００１６】
請求項４記載のヒートポンプ装置によれば、圧縮機、少なくとも１つの加温用の熱交換器、凝縮器、少なくとも１つの減圧手段および冷却用の熱交換器を順に接続して冷凍サイクルを構成することにより、１つの冷凍サイクルで冷却と加温とが同時に可能となり、大形化、複雑化することなく、電力消費量を低減できる。さらに、バイパス路切換弁、戻り路切換弁、開閉弁の切り換えによって、バイパス路が接続された熱交換器の冷却と加温とを任意に切り換えることができる。しかも、圧縮機で圧縮された冷媒は凝縮器を通さずに高い温度のまま加温用の熱交換器に直接送るので、加温用の熱交換器での熱交換効率を高めることができる。
【００１７】
請求項５記載の自動販売機によれば、販売機本体の複数の各収納室に請求項１ないし４いずれか記載のヒートポンプ装置の各熱交換器を配設したことにより、１台のヒートポンプ装置で冷却と加熱とが同時に可能となり、大形化、複雑化することなく、消費電力量を低減できる。
【発明を実施するための最良の形態】
【００１８】
以下、本発明の一実施の形態を図面を参照して説明する。
【００１９】
図２および図３に自動販売機を示し、この自動販売機では、飲料入りの缶やペットボトルなどの商品を販売するもので、販売機本体11を有し、この販売機本体11の前面に前面扉12が開閉可能に設けられている。この前面扉12には、商品見本展示する展示部13、商品を選択する選択ボタンを有する選択部14、貨幣を投入する操作部15、釣銭が払い出される返却口16、商品が払い出される販売口17などが設けられている。
【００２０】
販売機本体11内は左右方向に仕切る複数の仕切体18および底部との間を仕切る仕切体19によって複数の収納室20，21，22つまり左側の収納室20、中央の収納室21、右側の収納室22の３つに区画され、各収納室20，21，22には図示していないが商品を収納するコラムがそれぞれ配設されているとともに各コラムの下部に商品を１個ずつ排出する商品排出装置が配設されている。
【００２１】
販売機本体11内にはヒートポンプ装置31が配設され、このヒートポンプ装置31の複数の熱交換器32，33，34つまり左側の熱交換器32、中央の熱交換器33、右側の熱交換器34が対応する各収納室20，21，22にそれぞれ配置されている。
【００２２】
図１に示すように、ヒートポンプ装置31は、冷媒が封入された冷凍サイクル35を有し、この冷凍サイクル35では、冷媒を圧縮する圧縮機36の出口側（吐出側）に、蒸発パイプ37、凝縮器38、ドライヤ39、分配器40が順に配置される高温側の往き配管41が接続され、分配器40には複数の並列配管42，43，44つまり左側の並列配管42、中央の並列配管43、右側の並列配管44がそれぞれ接続されている。
【００２３】
各並列配管42，43，44には、電磁弁であって流路を開閉する開閉弁45，46，47、冷媒の圧力を減圧する減圧手段としてのキャピラリチューブ48，49，50、各収納室20，21，22に配置される熱交換器32，33，34の入口側がそれぞれ接続されている。
【００２４】
熱交換器32，33，34の出口側は、サクションパイプ51にて合流され、チェックバルブ52およびサクションカップ53が順に配置される低温側の戻り配管54を通じて圧縮機36の入口側（吸込側）に接続されている。
【００２５】
また、凝縮器38の出口側つまり凝縮器38とドライヤ39との間の往き配管41から、右側の熱交換器34の入口側つまりキャピラリチューブ50と熱交換器34との間の並列配管44に、バイパス路56が接続されている。往き配管41とバイパス路56との接続部には、凝縮器38から吐出する冷媒をドライヤ39側とのバイパス路56側とに切り換える三方弁（電磁弁）であるバイパス路切換弁57が配設されている。
【００２６】
右側の熱交換器34の出口側のサクションパイプ51から、バイパス路切換弁57とドライヤ39との間の往き配管41に、戻り路58が接続されている。サクションパイプ51と戻り路58との接続部には、熱交換器34から吐出する冷媒の流路を圧縮機36側と戻り路58側とに切り換える三方弁（電磁弁）である戻り路切換弁59が配設されている。
【００２７】
また、図２に示すように、凝縮器38には熱を販売機本体11の外部に排気する放熱ファン61が配置され、各熱交換器32，33，34には各収納室20，21，22に冷風または温風などの温度調整風を循環させるファン62，63，64がそれぞれ配置され、各収納室20，21，22には温度を検知するセンサ68，69，70がそれぞれ配置されている。
【００２８】
また、ヒートポンプ装置31の各動作は制御部81によって制御される。この制御部81は、右側の熱交換器34を冷却用と加温用とに切り換える機能を有している。
【００２９】
次に、制御部81によって制御するヒートポンプ装置31の作用を説明する。
【００３０】
自動販売機では、左側の収納室20および中央の収納室21については冷却モードのみの設定であるが、右側の収納室22については、季節や設置場所などの条件に応じて商品を冷却する冷却モードと商品を加温する加温モードとを選択設定できる。
【００３１】
そして、全ての収納室20，21，22が冷却モードに設定されている場合において、各収納室20，21，22の温度などの条件に応じて、圧縮機36を運転または停止させる。この場合、バイパス路切換弁57は凝縮器38からドライヤ39側に流路を開いてバイパス路56側を閉じ、戻り路切換弁59は熱交換器34から圧縮機36側に流路を開いて戻り路58側を閉じている。
【００３２】
圧縮機36の運転時には、圧縮機36で圧縮して吐出された高温高圧ガスの冷媒が凝縮器38で液化して高温低圧液体の冷媒となり、この冷媒がバイパス路切換弁57およびドライヤ39を通じて分配器40に流れる。分配器41に流れた冷媒が各開閉弁45，46，47の開放されている各並列配管42，43，44に並列に分流され、各キャピラリチューブ48，49，50で減圧して低温低圧液体の冷媒となり、この冷媒が熱交換器32，33，34に流れ、各熱交換器32，33，34に流れた冷媒で熱を吸収して各収納室20，21，22を冷却する。
【００３３】
各熱交換器32，33，34で熱を吸収することで気化して低温低圧ガスの冷媒となり、この冷媒がサクションパイプ51で合流してチェックバルブ52およびサクションカップ53を通じて圧縮機36に戻る。
【００３４】
各収納室20，21，22の温度をセンサ68，69，70でそれぞれ監視し、各開閉弁45，46，47を開閉して冷媒が各熱交換器32，33，34に流れるのを制御することにより、各収納室20，21，22の温度を設定温度に制御し、各収納室20，21，22とも設定温度になれば圧縮機36を停止させる。
【００３５】
また、左側の収納室20および中央の収納室21を冷却モードに、右側の収納室22を加熱モードに設定する場合には、右側の開閉弁47を閉じ、バイパス路切換弁57は凝縮器38からバイパス路56側に流路を開いてドライヤ39側を閉じ、戻り路切換弁59は熱交換器34から戻り路58側に流路を開いて圧縮機36側を閉じる。
【００３６】
圧縮機36の運転により、圧縮機36で圧縮して吐出された高温高圧ガスの冷媒が凝縮器38で液化して高温低圧液体の冷媒となり、この冷媒がバイパス路切換弁57およびバイパス路56を通じて右側の熱交換器34に流れ、右側の熱交換器34が高温になって右側の収納室22を加温する。
【００３７】
右側の熱交換器34から流出する冷媒は、戻り路切換弁59および戻り路58を通じてドライヤ39に流れ、分配器40を通じて開閉弁45，46の開放されている並列配管42，43に流れる。各並列配管42，43に流れた冷媒は、各キャピラリチューブ48，49で減圧して低温低圧液体の冷媒となり、この冷媒が熱交換器32，33に流れ、各熱交換器32，33に流れた冷媒で熱を吸収して左側の収納室20および中央の収納室21を冷却する。
【００３８】
各熱交換器32，33で熱を吸収することで気化して低温低圧ガスの冷媒となり、この冷媒がサクションパイプ51で合流してチェックバルブ52およびサクションカップ53を通じて圧縮機36に戻る。
【００３９】
右側の収納室22の温度をセンサ70で監視し、右側の収納室22が設定温度になれば、バイパス路切換弁57で凝縮器38からドライヤ39側に流路を開いてバイパス路56側を閉じ、右側の収納室22の加温運転を停止し、左側の収納室20および中央の収納室21の冷却運転のみを行う。また、左側の収納室20および中央の収納室21の温度をセンサ68，69でそれぞれ監視し、各開閉弁45，46を開閉して冷媒が各熱交換器32，33に流れるのを制御することにより、左側の収納室20および中央の収納室21の温度を設定温度に制御する。そして、各収納室20，21，22とも設定温度になれば圧縮機36を停止させる。
【００４０】
このように、ヒートポンプ装置31では、圧縮機36、凝縮器38、バイパス路56、右側の熱交換器34、戻り路58、キャピラリチューブ48，49および熱交換器32，33などを順に接続して冷凍サイクル35を構成することにより、１つの冷凍サイクル35で冷却と加温とが同時に可能となり、大形化、複雑化することなく、電力消費量を低減できる。さらに、バイパス路切換弁57、戻り路切換弁59、開閉弁47の切り換えによって、バイパス路56が接続された右側の熱交換器34の冷却と加温とを任意に切り換えることができる。
【００４１】
この１つの冷凍サイクル35で冷却と加熱とが同時に可能な１台のヒートポンプ装置31を販売機本体11に組み込むことにより、自動販売機として大形化、複雑化することなく、消費電力量を低減できる。
【００４２】
次に、図４に第２の実施の形態を示す。
【００４３】
圧縮機36と凝縮器38との間つまり蒸発パイプ37と凝縮器38との間の往き配管41から、右側の熱交換器34の入口側つまりキャピラリチューブ50と熱交換器34との間の並列配管44に、バイパス路56が接続されている。往き配管41とバイパス路56との接続部には、圧縮機36から吐出する冷媒を凝縮器38側とのバイパス路56側とに切り換える三方弁（電磁弁）であるバイパス路切換弁57が配設されている。
【００４４】
右側の熱交換器34の出口側のサクションパイプ51から、バイパス路切換弁57と凝縮器38との間の往き配管41に、戻り路58が接続されている。サクションパイプ51と戻り路58との接続部には、熱交換器34から吐出する冷媒の流路を圧縮機36側と戻り路58側とに切り換える三方弁（電磁弁）である戻り路切換弁59が配設されている。
【００４５】
そして、全ての収納室20，21，22が冷却モードに設定されている場合には、バイパス路切換弁57は圧縮機36側から凝縮器38側に流路を開いてバイパス路56側を閉じ、戻り路切換弁59は熱交換器34から圧縮機36側に流路を開いて戻り路58側を閉じている。この状態での圧縮機36の運転時の作用は、上述したのと同様である。
【００４６】
また、左側の収納室20および中央の収納室21を冷却モードに、右側の収納室22を加熱モードに設定する場合には、右側の開閉弁47を閉じ、バイパス路切換弁57は圧縮機36側からバイパス路56側に流路を開いて凝縮器38側を閉じ、戻り路切換弁59は熱交換器34から戻り路58側に流路を開いて圧縮機36側を閉じる。
【００４７】
圧縮機36の運転により、圧縮機36で圧縮して吐出された高温高圧ガスの冷媒がバイパス路切換弁57およびバイパス路56を通じて右側の熱交換器34に流れ、右側の熱交換器34が高温になって右側の収納室22を加温する。
【００４８】
右側の熱交換器34から流出する冷媒は、戻り路切換弁59および戻り路58を通じて凝縮器38に流れ、この凝縮器38で液化して高温低圧液体となった冷媒がドライヤ39および分配器40を通じて開閉弁45，46の開放されている並列配管42，43に流れる。各並列配管42，43に流れた冷媒は、各キャピラリチューブ48，49で減圧して低温低圧液体の冷媒となり、この冷媒が熱交換器32，33に流れ、各熱交換器32，33に流れた冷媒で熱を吸収して左側の収納室20および中央の収納室21を冷却する。
【００４９】
各熱交換器32，33で熱を吸収することで気化して低温低圧ガスの冷媒となり、この冷媒がサクションパイプ51で合流してチェックバルブ52およびサクションカップ53を通じて圧縮機36に戻る。
【００５０】
右側の収納室22の温度をセンサ70で監視し、右側の収納室22が設定温度になれば、バイパス路切換弁57で圧縮機36から凝縮器38側に流路を開いてバイパス路56側を閉じ、右側の収納室22の加温運転を停止し、左側の収納室20および中央の収納室21の冷却運転のみを行う。また、左側の収納室20および中央の収納室21の温度をセンサ68，69でそれぞれ監視し、各開閉弁45，46を開閉して冷媒が各熱交換器32，33に流れるのを制御することにより、左側の収納室20および中央の収納室21の温度を設定温度に制御する。そして、各収納室20，21，22とも設定温度になれば圧縮機36を停止させる。
【００５１】
このように、圧縮機36、右側の熱交換器34、凝縮器38、キャピラリチューブ48，49および熱交換器32，33などを順に接続して冷凍サイクル35を構成することにより、１つの冷凍サイクル35で冷却と加温とが同時に可能となり、大形化、複雑化することなく、電力消費量を低減できる。さらに、バイパス路切換弁57、戻り路切換弁59、開閉弁47の切り換えによって、バイパス路56が接続された右側の熱交換器34の冷却と加温とを任意に切り換えることができる。
【００５２】
この１つの冷凍サイクル35で冷却と加熱とが同時に可能な１台のヒートポンプ装置31を販売機本体11に組み込むことにより、自動販売機として大形化、複雑化することなく、消費電力量を低減できる。
【００５３】
また、この第２の実施の形態のように圧縮機36から吐出された高温の冷媒を凝縮器38の通過前に熱交換器34に送るので、第１の実施の形態のように圧縮機36から吐出された高温の冷媒を凝縮器38の通過後に熱交換器34に送る場合に比べて、高温の冷媒を熱交換器34に送ることができ、熱交換器34の温度を高くでき、冷媒のエネルギを有効利用できる。
【００５４】
なお、前記各実施の形態において、加温する収納室34には、ヒータを設置し、このヒータを併用してもよい。これにより、冷却加温同時運転をしている場合に、加温側の収納室22の温度が設定温度に達しなくても、冷却側の収納室20，21が設定温度に達したために圧縮機36を停止させたときに、加温側の収納室22をヒータで加温することができる。
【００５５】
また、例えば、左側の収納室20および中央の収納室21を冷却専用、右側の収納室34を加温専用にする場合には、各切換弁57，59などを用いずに接続してもよい。この場合には、各切換弁57，59を削減でき、構成を簡素化できる。
【００５６】
また、加温する熱交換器つまりバイパス路56を接続する熱交換器は１つだけでなく、複数の熱交換器を設定してもよい。
【００５７】
また、ヒートポンプ装置31は、自動販売機に限らず、冷却と加温とが共存する各種の機器にも適用できる。
【図面の簡単な説明】
【００５８】
【図１】本発明の第１の実施の形態を示すヒートポンプ装置の構成図である。
【図２】同上ヒートポンプ装置を適用する自動販売機の透視状態の斜視図である。
【図３】同上自動販売機の正面図である。
【図４】本発明の第１の実施の形態を示すヒートポンプ装置の構成図である。
【符号の説明】
【００５９】
11    販売機本体
20，21，22    収納室
31    ヒートポンプ装置
32，33，34    熱交換器
36    圧縮機
38    凝縮器
47    開閉弁
48，49，50    減圧手段としてのキャピラリチューブ
56    バイパス路
57    バイパス路切換弁
58    戻り路
59    戻り路切換弁
【図１】
2006284056.tif 000003
【図２】
2006284056.tif 000004
【図３】
2006284056.tif 000005
【図４】
2006284056.tif 000006